(57)【特許請求の範囲】
【請求項１】
開口部の底面に、長手方向両端部を前記開口部の左右対向面に近接して埋設される横長の収納ボックスと、
前記収納ボックスの長手方向に沿って収納されるとともに前記収納ボックスの内方で起立されて前記左右対向面に当接される一対の外枠と、
前記収納ボックスの長手方向に沿って収納されるとともに前記外枠の内側に沿って起立される一対の内枠と、
下縁部が前記収納ボックスに固定されるとともに左右側縁部が前記外枠と前記内枠とに挟持されるシートと、
前記収納ボックスに収納されるとともに前記外枠とで前記シートの左右側縁部を挟んだ一対の前記内枠を前記左右対向面に押圧する内枠固定部材と、
前記収納ボックスの上部開口を塞ぐ蓋と、
を具備し、
左右の前記外枠は、前記収納ボックス底部の左右に上方に突出して固定される支持体に、外枠下端部が挿入されて起立されることを特徴とする浸水防止装置。
【請求項２】
請求項１記載の浸水防止装置であって、
左右の前記外枠は、開口部を対向内方としたチャンネル材により形成され、前記支持体の外周と前記収納ボックス底部の内周壁との間に、前記外枠下端部の開口部が挿入され、互いに嵌合されていることを特徴とする浸水防止装置。
【請求項３】
請求項１又は２記載の浸水防止装置であって、
前記収納ボックスと前記外枠とには前記外枠を起立保持する起立固定部材が設けられることを特徴とする浸水防止装置。
【請求項４】
請求項１，２，３のいずれか１つに記載の浸水防止装置であって、
前記内枠固定部材が、伸縮棒構造を有した突っ張り部材であることを特徴とする浸水防止装置。
【請求項５】
請求項１，２，３のいずれか１つに記載の浸水防止装置であって、
前記内枠固定部材が、レバーを回転することで伸縮し且つ伸長状態に維持されるリンク構造を有したレバー式伸縮部材であることを特徴とする浸水防止装置。
【請求項６】
請求項１，２，３，４，５のいずれか１つに記載の浸水防止装置であって、
前記内枠には、前記内枠固定部材の両端の位置を決める設定部が設けられることを特徴とする浸水防止装置。
【請求項７】
請求項１，２，３，４，５，６のいずれか１つに記載の浸水防止装置であって、
前記シートの上縁部に上縁枠部材が設けられ、
前記上縁枠部材の左右端部には、前記外枠に係止する係止部材が設けられることを特徴とする浸水防止装置。
【請求項８】
請求項１，２，３，４，５，６，７のいずれか１つに記載の浸水防止装置であって、
前記蓋が、前記収納ボックスに収納可能に形成されることを特徴とする浸水防止装置。
【発明の詳細な説明】
【技術分野】
【０００１】
本発明は、一般住宅玄関口、門柱間、店舗入口、厩舎や小屋・納屋などの入口に取り付けて、外部から構築物への水の浸入を防止する浸水防止装置に関する。
【背景技術】
【０００２】
地下駐車場や地下街の地表に臨む出入口には、地表の水かさが増した際に、出入口から構築物内部への水の浸入を防ぐための浸水防止壁等が設けられる場合がある。
例えば特許文献１に開示の浸水防止シート壁構造は、壁に埋め込まれている縁部シートと床から引き出される中央シートとを水密ファスナーで結合し、防水シート壁を形成するものである。また、特許文献２に開示の浸水防止装置は、床面の収納溝と両壁面の支持枠とを具備して、両支持枠に沿って昇降する蓋体、上昇を付勢する定荷重バネを有し、巻取シャフトが蓋体に設けられて巻取シャフトに巻回されるシートの下縁が収納溝内に固定されている構成とされている。さらに、特許文献３に開示の防潮板装置は、中柱を備える。シート下縁は収納溝内に固定されるものである。シート上縁のパイプの端部をサイドレール上端部と中柱上端部に係止する。そしてシートを張設する。シートの左右両側縁は、サイドレール内のボルトにて係止、固定される。
また、特許文献４に開示の防水ゲートは、板ではなく、シート製で、エアバッグを内蔵する構成になっている。シートの左右側縁と下縁とには枠部材が有り、略板状に形成される。
【先行技術文献】
【特許文献】
【０００３】
【特許文献１】特開２００１−１８２４５２号公報
【特許文献２】特開２００１−３４２７８０号公報
【特許文献３】特開２００１−２２７２５５号公報
【特許文献４】実用新案登録第３１２７８２６号公報
【発明の概要】
【発明が解決しようとする課題】
【０００４】
しかしながら、シートの側縁をボルトナットや水密ファスナーで壁に固定する構造は、開口部の対向壁面に、溝、支持枠，サイドレール等を形成する構造とされ、すなわち設置場所における対向壁面と床面（地面）との３面を加工するため、設置場所となる構築物側の外観を損ねるのに加え、設置工事が大掛かりとなり、構築が容易でない問題がある。さらに、使用時の組み立てが煩雑となり、迅速にセッティングが行えないとともに、製品コスト・施工コストが高価となる問題がある。
【０００５】
本発明は上記状況に鑑みてなされたもので、その目的は、建物や玄関などの構築物の外観を損なわず、短時間で容易に設置でき、安価に構成できる浸水防止装置を提供することにある。
【課題を解決するための手段】
【０００６】
次に、上記の課題を解決するための手段を、実施の形態に対応する図面を参照して説明する。
本発明の請求項１記載の浸水防止装置１１は、開口部２５の底面２７に、長手方向両端部２９を前記開口部２５の左右対向面３１に近接して埋設される横長の収納ボックス１３と、
前記収納ボックス１３の長手方向に沿って収納されるとともに前記収納ボックス１３の内方で起立されて前記左右対向面３１に当接される一対の外枠１５と、
前記収納ボックス１３の長手方向に沿って収納されるとともに前記外枠１５の内側に沿って起立される一対の内枠１７と、
下縁部５３が前記収納ボックス１３に固定されるとともに左右側縁部７１が前記外枠１５と前記内枠１７とに挟持されるシート１９と、
前記収納ボックス１３に収納されるとともに前記外枠１５とで前記シート１９の左右側縁部７１を挟んだ一対の前記内枠１７を前記左右対向面３１に押圧する内枠固定部材と、
前記収納ボックス１３の上部開口２３を塞ぐ蓋２１と、を具備することを特徴とする。
【０００７】
この浸水防止装置１１では、不使用時には、収納ボックス１３が開口部２５の底面２７とほぼ同一面で蓋２１によって見栄え良く覆われる。使用時には、蓋２１が開けられ、少なくとも内枠１７及び内枠固定部材が収納ボックス１３から取り出される。外枠１５は、収納ボックス１３に起立状態で固定される。シート１９は、下縁部５３が収納ボックス１３内に固定されていて、上縁部６７が外枠上端部７５まで引き上げられる。引き上げられたシート１９の左右側縁部７１は、外枠１５の内側に配置される内枠１７によって外枠１５とで挟持される。左右それぞれの内側に配置されて左右側縁部７１を挟む内枠１７は、内枠固定部材によって開口部２５の左右対向面３１に押圧される。これにより、外枠１５と内枠１７とが左右対向面３１に強固に密着するとともに、シート１９の左右側縁部７１も外枠１５と内枠１７とによって強固に挟持され、シート１９が展張状態となって、このシート１９による遮水が可能となる。一方、分解時には、先ず、内枠固定部材が外され、次いで、内枠１７が取り外される。シート１９は、長手方向が複数の折り目となるように表裏方向に交互に畳まれて、収納ボックス１３に収納される。これにより、収納ボックス１３に外枠１５、内枠１７、及び内枠固定部材の収納スペースが確保される。この収納ボックス１３に、外枠１５、内枠１７、及び内枠固定部材が収納された後、収納ボックス１３の上部開口２３に蓋２１が取り付けられて、浸水防止装置１１は、底面２７への保管が完了する。
【０００８】
本発明の請求項１記載の浸水防止装置１１は、上記の浸水防止装置１１であって、
前記外枠１５は、前記収納ボックス１３底部の左右に上方に突出して固定される支持体３７に外枠下端部３９が挿入されて起立されることを特徴とする。
本発明の請求項２記載の浸水防止装置１１は、請求項１記載の浸水防止装置であって、左右の前記外枠は、開口部を対向内方としたチャンネル材により形成され、前記支持体の外周と前記収納ボックス底部の内周壁との間に、前記外枠下端部の開口部が挿入され、互いに嵌合されていることを特徴とする。
【０００９】
この浸水防止装置１１では、外枠下端部３９が支持体３７に挿入されると、外枠１５が起立した状態で収納ボックス１３に固定される。挿入のみの簡単な組立作業で、外枠１５が自立される。
【００１０】
本発明の参考例に係る浸水防止装置１１は、前記外枠７７は、外枠下端部３９が前記収納ボックス１３に回転自在に固定されて起立することを特徴とする。
【００１１】
この浸水防止装置１１では、外枠下端部３９が収納ボックス１３に回転自在に固定されているので、外枠上端部７５が持ち上げられることで、外枠７７が容易に所定位置に起立する。起立された左右の外枠７７は、唯一の倒れ方向の倒れが内枠固定部材によって阻止される。回転式の外枠７７では、挿入式のような抜けが生じず、且つ回転軸７９等を使用した高強度な固定構造が実現可能となる。
【００１２】
本発明の請求項３記載の浸水防止装置１１は、請求項１又は２記載の浸水防止装置１１であって、
前記収納ボックス１３と前記外枠１５とには前記外枠１５を起立保持する起立固定部材が設けられることを特徴とする。
【００１３】
この浸水防止装置１１では、組み立てにより収納ボックス１３に起立された外枠１５が、起立固定部材によって確実に起立保持される。例えば挿入式の外枠１５の場合、挿入によって自立は可能となるが、上方へ抜けると、自立不能となって倒れる。このような場合、外枠１５が起立固定部材である例えばパッチン錠４７によって抜け止めされることで、抜けによる倒れが生じない、確実な起立保持が可能となる。また、回転によって起立する外枠７７では、起立状態を保持させることが可能となる。
【００１４】
本発明の請求項４記載の浸水防止装置１１は、請求項１，２，３のいずれか１つに記載の浸水防止装置１１であって、
前記内枠固定部材が、伸縮棒構造を有した突っ張り部材７３であることを特徴とする。
【００１５】
この浸水防止装置１１では、突っ張り部材７３の両端が相対回転されることにより、突っ張り部材７３の全長が左右の内枠同士間の距離よりも少し長く設定される。突っ張り部材７３は、この余長量が圧縮されることで、左右の内枠同士間に配置される。配置された突っ張り部材７３は、圧縮が解除されると内蔵バネによってもとの長さに戻ろうとし、その復元力によって内枠１７が左右対向面３１に押圧される。突っ張り部材７３は、余長に比例した押圧力の設定が可能となる。
【００１６】
本発明の請求項５記載の浸水防止装置１１は、請求項１，２，３のいずれか１つに記載の浸水防止装置１１であって、
前記内枠固定部材が、レバーを回転することで伸縮し且つ伸長状態に維持されるリンク構造を有したレバー式伸縮部材であることを特徴とする。
【００１７】
この浸水防止装置１１では、内枠固定部材に、レバーの回転によって作動されるリンク構造が装備される。リンク構造は、例えば二本の杆材を軸線方向にスライド自在に係合した伸縮杆と、一端が二本の杆材にそれぞれ回転自在に固定され、他端同士が回転自在に係合される一対の連結杆と、によって構成可能となる。レバーは、回転始端から回転終端に回転されることで、伸縮杆が最長の状態で保持されるようにリンク構造に設けられる。このレバー式伸縮部材は、左右の内枠１７の間に配置され、レバーが回転されると、左右方向に伸長して内枠１７が押圧され、且つその押圧状態が維持される。押圧は、レバーが回転始端に回転されることで、容易に解除される。
【００１８】
本発明の請求項６記載の浸水防止装置１１は、請求項１，２，３，４，５のいずれか１つに記載の浸水防止装置１１であって、
前記内枠１７には、前記内枠固定部材の両端の位置を決める設定部が設けられることを特徴とする。
【００１９】
この浸水防止装置１１では、例えば印、刻印、マーク、或いは切欠や係止爪などからなる設定部が内枠１７に設けられ、内枠固定部材は、両端が設定部に位置決めされて内枠１７に組み立てられる。これにより、内枠固定部材の取付位置が容易に把握できるようになる。また、切欠や係止爪では、内枠固定部材の両端が支持可能となって、内枠固定部材のずれや落下が防止される。
【００２０】
本発明の請求項７記載の浸水防止装置１１は、請求項１，２，３，４，５，６のいずれか１つに記載の浸水防止装置１１であって、
前記シート１９の上縁部６７に上縁枠部材６９が設けられ、前記上縁枠部材６９の左右端部８３には、前記外枠１５に係止する係止部材８１が設けられることを特徴とする。
【００２１】
この浸水防止装置１１では、下縁部５３が収納ボックス１３に固定されるシート１９の上縁部６７に上縁枠部材６９が固定され、上縁枠部材６９の左右端部８３が係止部材８１によって左右の外枠１５に係止されることで、シート１９が上下方向に展張支持可能となる。
【００２２】
本発明の請求項８記載の浸水防止装置１１は、請求項１，２，３，４，５，６，７のいずれか１つに記載の浸水防止装置１１であって、
前記蓋２１が、前記収納ボックス１３に収納可能に形成されることを特徴とする。
【００２３】
この浸水防止装置１１では、蓋２１が、収納ボックス１３に長手方向を一致させて縦に落とし入れられることで、使用中の収納ボックス１３に収納可能となる。蓋２１は、収納ボックス１３の上部開口２３を覆うので、収納ボックス１３の全長よりも若干長く形成されているが、収納ボックス１３の対角線７２に沿う方向に斜めにして挿入することで、余長分も含めて収容が可能となる。
【発明の効果】
【００２４】
本発明に係る請求項１記載の浸水防止装置によれば、開口部における底面にのみ設置される構成とされ、壁面などの左右対向面を加工することがなく、建物等の構築物の外観を損なわず、短時間で容易に設置することができる。しかも、従来品に比べ施工コスト及び製品コストを安価にできる。また、収納ボックスに納まる構造であることから、既存の家屋玄関、門柱間、小屋などの入口部分における底面部分を加工するのみで設置可能となり、簡単に防水構造を構築することが可能である。
【００２５】
本発明に係る請求項１又は２記載の浸水防止装置によれば、シートの受ける水圧を支持するための外枠を、収納ボックス内の支持体に挿入するだけで起立させ自立させることが可能であり、簡単な組立で高強度に固定できる。
【００２６】
本発明の参考例に係る浸水防止装置によれば、外枠下端部が回転自在とされて外枠上端部を持ち上げるのみで起立でき、挿入式の外枠に比べ、外枠をより簡単に組み立てることが可能となり、下端部が軸によって固定されていることから、より高強度に固定できる。
【００２７】
本発明に係る請求項３記載の浸水防止装置によれば、起立固定部材によって外枠が起立保持されるので、組み立てた後の外枠を自立させて固定でき、外枠を倒れ難くできる。
【００２８】
本発明に係る請求項４記載の浸水防止装置によれば、内枠固定部材を伸縮棒構造の突っ張り部材としたことで、この突っ張り部材の全長を変えて、所望の押圧力で内枠を押圧でき、内枠の支持が可能となってシートの展張が保持される。
【００２９】
本発明に係る請求項５記載の浸水防止装置によれば、内枠固定部材をレバー式伸縮部材としたので、レバーを回転始端から回転終端へ回転することで、迅速且つ大きな力で左右の内枠を押圧できる。
【００３０】
本発明に係る請求項６記載の浸水防止装置によれば、内枠固定部材の組立時の位置決めを容易にすることができ、素早く内枠の保持及びシートの展張保持を可能とする。
【００３１】
本発明に係る請求項７記載の浸水防止装置によれば、可撓性のあるシートの上縁部も外枠に固定できて、シートが撓んでしまう等の展張作業を妨げることがなくなり、また、シートの水圧強度を向上させることができる。
【００３２】
本発明に係る請求項８記載の浸水防止装置によれば、使用時に蓋を収納ボックスに収容する仮保管ができ、蓋の紛失を防止できる。
【図面の簡単な説明】
【００３３】
【図１】本発明に係る実施形態の浸水防止装置の斜視図である。
【図２】図１に示した浸水防止装置の分解斜視図である。
【図３】図１に示した浸水防止装置の側断面図である。
【図４】図１に示した浸水防止装置の平断面図である。
【図５】図１に示した浸水防止装置の収納時の側断面図である。
【図６】図５に示した収納状態の浸水防止装置から外枠が組み立てられる過程の手順説明図である。
【図７】シートが引き上げられる過程の手順説明図である。
【図８】内枠が立てられてシートの左右側縁部が挟持される過程の手順説明図である。
【図９】内枠固定部材が取り付けられる過程の手順説明図である。
【図１０】（ａ）は回転自在に固定される変形例に係る外枠の起立前の要部正面図、（ｂ）は（ａ）のシート展張後の要部正面図である。
【図１１】シートの上縁枠部材に係止部材が設けられた変形例に係る浸水防止装置の正面図である。
【図１２】ターンバックル構造を有する変形例に係る内枠固定部材の平面図である。
【図１３】（ａ）は折り畳み構造を有する変形例に係る内枠固定部材の伸長前の正面図、（ｂ）は（ａ）の伸長後の正面図である。
【図１４】係止爪としての設定部が設けられた変形例に係る内枠の要部分解斜視図である。
【図１５】図１に示した浸水防止装置が連結して使用される他の使用形態の斜視図である。
【発明を実施するための形態】
【００３４】
以下、本発明に係る実施形態を図面を参照して説明する。
図１は本発明に係る実施形態の浸水防止装置の斜視図、図２は図１に示した浸水防止装置の分解斜視図、図３は図１に示した浸水防止装置の側断面図、図４は図１に示した浸水防止装置の平断面図、図５は図１に示した浸水防止装置の収納時の側断面図である。
本実施形態に係る浸水防止装置１１は、収納ボックス１３と、外枠１５と、内枠１７と、シート１９と、内枠固定部材と、蓋２１（図５参照）と、に大別構成される。
【００３５】
収納ボックス１３は、スチール製、アルミ製、ステンレス製等によって上部開口２３を有した横長の箱状に形成される。収納ボックス１３は、一般住宅玄関口、門柱間、店舗入口、厩舎や小屋・納屋などの建築物や構築物の入口である開口部２５の床面や地面となる底面２７に埋設される。埋設は、収納ボックス１３の長手方向両端部２９を、開口部２５の左右対向面３１に近接し、底面２７を掘削する（はつる）ことによって行われる。この収納ボックス１３には、構成部品が全て収納される。収納ボックス１３の上部開口２３には補強用のボックス鍔部３３が形成され、このボックス鍔部３３が底面２７とほぼ面一に施工される。この上部開口２３は、浸水防止装置１１の不使用時、図５に示すように、蓋２１によって覆われる。
【００３６】
外枠１５は、断面コ字状のチャンネル材として形成され、２本が、収納ボックス１３の長手方向に沿って収納される。２本の外枠１５は、収納ボックス１３の内方で、コ字状の開放側を内側に向けて起立され、左右対向面３１に当接される。このため、収納ボックス１３の底板部３５には、長手方向の両端に、断面コ字状の支持体３７が溶接等によって固定される。一対の支持体３７は、開口側を内側に向けた向きで固定される。図３、図４に示すように、外枠１５は、収納ボックス１３に固定される支持体３７に、外枠下端部３９が挿入されて起立される。例えば、外枠下端部３９の内方に凹状段部４１（図６参照）が形成され、支持体３７に凸状段部４３（図６参照）が形成されて互いに嵌まり合って挿入される。
【００３７】
外枠下端部３９が支持体３７に挿入されると、外枠１５が起立した状態で収納ボックス１３に固定される。挿入のみの簡単な組立作業で、外枠１５が自立される。これにより、シート１９の受ける水圧を支持するための外枠１５を、簡単な組立で高強度に固定できる。なお、外枠１５の左右対向面３１に接する面には、水密性を高めるためのゴム板４５などが貼着されることが好ましい。
【００３８】
収納ボックス１３と外枠１５とには外枠１５を起立保持する起立固定部材が設けられる。本実施形態において、起立固定部材にはパッチン錠４７が用いられている。パッチン錠４７は、支持体３７と外枠下端部３９とにわたる外表面にフック４９と係止環部５０とを有して構成される。組み立てにより収納ボックス１３に起立された外枠１５は、起立固定部材４７によって確実に起立保持される。挿入式の外枠１５の場合、挿入によって自立は可能となるが、上方へ抜けると、自立不能となって倒れる。このような場合、図３に示すように、外枠１５がパッチン錠４７によって抜け止めされることで、抜けによる倒れが生じない、確実な起立保持が可能となる。これにより、組み立てた後の外枠１５を自立させて固定でき、外枠１５を一層倒れ難くできる。
【００３９】
収納ボックス１３の底板部３５には、一対の支持体３７の間に、基台５１が固定されている。基台５１は、断面コ字状のチャンネル材として形成され、開放方向が下向きとなって底板部３５に溶接固定される。この基台５１には、シート１９の下縁部５３が固定される。シート１９の下縁部５３を基台５１に固定するには、一対の挟持板５５と、下縁板５７と、抜止棒５９と、複数対のボルト６１及びナット６３と、が用いられる。基台５１、挟持板５５、下縁板５７には、略同一ピッチで部材長手方向に沿って複数のボルト貫通孔６５（図２参照）が穿設されている。図３に示すように、シート１９は、抜止棒５９を折り目に挟んで、下縁部５３が折り返される。下縁部５３が折り返されたシート１９は、この二重部分が上下一対の挟持板５５によって挟まれる。さらに、この一対の挟持板５５は、下側の基台５１と上側の下縁板５７とによって挟まれた状態で、これらのボルト貫通孔６５をボルト６１が貫通する。基台５１を貫通したボルト６１は、基台裏側のボルト貫通孔６５に溶接固定されるナット６３（図３参照）に螺合することで、シート１９の下縁部５３を挟持固定する。
【００４０】
一方、シート１９の上縁部６７（図２参照）には、一対の上縁枠部材６９と、抜止棒５９とが、ボルト６１及びナット６３によって固定される。一対の上縁枠部材６９には略同一ピッチで部材長手方向に沿って複数のボルト貫通孔６５（図２参照）が穿設されている。図３に示すように、シート１９は、抜止棒５９を折り目に挟んで、上縁部６７が折り返される。上縁部６７が折り返されたシート１９は、この二重部分が上下一対の上縁枠部材６９によって挟まれる。一対の上縁枠部材６９は、ボルト貫通孔６５に貫通されたボルト６１にナット６３が螺合することで、シート１９の上縁部６７に固定される。
【００４１】
内枠１７は、収納ボックス１３の長手方向に沿って２本が収納される。内枠１７は、断面コ字状のチャンネル材として形成される。図１に示すように、この内枠１７は、それぞれが外枠１５の内側に沿って嵌入状態とされ起立される。
【００４２】
シート１９は、上記のようにして、下縁部５３が収納ボックス１３に固定される。シート１９は、左右側縁部７１が、図４に示すように、上縁部６７からフラップ状（翼状）に延設されている。この左右側縁部７１が外枠１５と内枠１７とに挟持される。
【００４３】
内枠固定部材は、収納ボックス１３に収納されるとともに外枠１５とでシート１９の左右側縁部７１を挟んだ一対の内枠１７を左右対向面３１の方向に押圧する。本実施形態において、内枠固定部材は、伸縮棒構造を有した突っ張り部材７３が少なくとも１本使用される。本実施形態では内枠１７の上下方向に２本が使用される。突っ張り部材７３は、両端が相対回転されることにより、全長が左右の内枠１７同士間の距離よりも少し長く設定される。突っ張り部材７３は、この余長量が圧縮されることで、左右の内枠１７同士間に配置される。配置された突っ張り部材７３は、圧縮が解除されると内蔵バネによってもとの長さに戻ろうとし、その復元力によって内枠１７が左右対向面３１の方向に押圧される。突っ張り部材７３は、余長に比例した押圧力の設定が可能となる。これにより、突っ張り部材７３の全長を変えて、所望の押圧力で内枠１７を押圧できる。
【００４４】
突っ張り部材７３は、図１に示すように、水平に配置されるが、斜めに配置されてもよい。また、浸水防止装置１１は、シート１９の何れの面が屋外側となる向きで配置されてもよい。本実施形態において、浸水防止装置１１は、突っ張り部材７３が屋外側となる向きで開口部２５に設置されている。
【００４５】
なお、内枠固定部材としては、突っ張り部材７３の他に、レバーを回転することで伸縮し且つ伸長状態に維持されるリンク構造を有したレバー式伸縮部材を用いることができる（図示せず）。レバー式伸縮部材は、内枠固定部材に、レバーの回転によって作動されるリンク構造が装備される。リンク構造は、例えば二本の杆材を軸線方向にスライド自在に係合した伸縮杆と、一端が二本の杆材にそれぞれ回転自在に固定され、他端同士が回転自在に係合される一対の連結杆と、によって構成可能となる。レバーは、回転始端から回転終端に回転されることで、伸縮杆が最長の状態で保持されるようにリンク構造に設けられる。このレバー式伸縮部材は、左右の内枠１７の間に配置され、レバーが回転されると、左右方向に伸長して内枠１７が押圧され、且つその押圧状態が維持される。押圧は、レバーが回転始端に回転されることで、容易に解除される。このようなレバー式伸縮部材によれば、レバーを回転始端から回転終端へ回転することで、迅速且つ大きな力で内枠１７を押圧できる。
【００４６】
蓋２１は、収納ボックス１３の上部開口２３を塞ぐ。この蓋２１は、収納ボックス１３に収納可能に形成される。蓋２１が、収納ボックス１３に長手方向を一致させて縦に落とし入れられることで、使用中の収納ボックス１３に収納可能となる。図５に示すように、蓋２１は、収納ボックス１３の上部開口２３を覆うので、収納ボックス１３の全長よりも若干長く形成されているが、収納ボックス１３の対角線７２（図４参照）に沿う方向に斜めにして挿入することで、余長分も含めて収容が可能となる。これにより、使用時に蓋２１を収納ボックス１３に収容する仮保管ができ、蓋２１の紛失を防止できる。
【００４７】
次に、上記構成を有する浸水防止装置１１の組み立て手順を作用と共に説明する。
図６は図５に示した収納状態の浸水防止装置１１から外枠１５が組み立てられる過程の手順説明図、図７はシート１９が引き上げられる過程の手順説明図、図８は内枠１７が立てられてシート１９の左右側縁部７１が挟持される過程の手順説明図、図９は内枠固定部材が取り付けられる過程の手順説明図である。
浸水防止装置１１は、不使用時、図５に示すように、収納ボックス１３が底面２７とほぼ同一面で蓋２１によって見栄え良く覆われる。なお、この蓋２１は、収納ボックス１３に対してビスなどの固定部材２２にて脱着可能とされる。
【００４８】
使用時には、蓋２１が開けられ、少なくとも内枠１７及び内枠固定部材が収納ボックス１３から取り出される。図６に示すように、外枠１５は、外枠下端部３９が支持体３７に挿入され、収納ボックス１３に起立状態とされ、そして起立固定部材であるパッチン錠４７にて固定される。シート１９は、下縁部５３が収納ボックス１３に固定されており、図７に示すように、上縁部６７が外枠上端部７５まで引き上げられる。
【００４９】
図８に示すように、引き上げられたシート１９の左右側縁部７１は、外枠１５の内側にはめ込まれるように配置される内枠１７によって外枠１５とで挟持される。左右それぞれの内側に配置されて左右側縁部７１を挟む内枠１７は、図９に示すように、突っ張り部材７３によって開口部２５の左右対向面３１（図４参照）方向にに押圧される。これにより、図４に示すように、外枠１５と内枠１７とが左右対向面３１に強固に密着するとともに、シート１９の左右側縁部７１も外枠１５と内枠１７とによって強固に挟持され、シート１９が展張状態となり、シート１９による遮水が可能となる。
【００５０】
なお、浸水防止装置１１は、隙間無く対向壁面間にシート１９を展設状態とする、と言う高い水密性を発揮させる必要はなく、ある程度の隙間については許容するもので、水の浸入を完全に阻止する構造は目的としていない。ある程度の隙間、例えば部材間の寸法公差によるものや組立性を重視するようなラフな構成による隙間は、水とともに流れ来るゴミ等で埋まるからである。このように、浸水防止装置１１では、完璧な止水には重きを置かず、浸水を遅らせる「遅水」という観点から大掛かりで複雑な機能・構造を排除している。これにより、軽く簡易なセッティングを可能にし、簡単な構造で安価な製品を実現させている。
【００５１】
浸水防止装置１１の分解時には、先ず、突っ張り部材７３が外され、次いで、内枠１７が取り外される。シート１９は、図５に示すように、長手方向が複数の折り目となるように表裏方向に交互に畳まれて、収納ボックス１３に収納される。これにより、収納ボックス１３に外枠１５、内枠１７、及び突っ張り部材７３の収納スペースが確保される。この収納ボックス１３に、外枠１５、内枠１７、及び突っ張り部材７３が収納された後、収納ボックス１３の上部開口２３に蓋２１が取り付けられて、浸水防止装置１１は、図５に示すように、底面２７への保管が完了する。
【００５２】
次に、上記した実施形態に係る浸水防止装置１１の変形例を説明する。
図１０（ａ）は回転自在に固定される変形例に係る外枠７７の起立前の要部正面図、（ｂ）は（ａ）のシート展張後の要部正面図である。なお、図１〜図９に示した部材と同等の部材には同一の符号を付し重複する説明は省略する。
この変形例に係る外枠７７は、外枠下端部３９が収納ボックス１３に回転自在に固定されて起立する。通常時には、収納ボックス１３に、倒された横臥状態で収納される。外枠下端部３９が収納ボックス１３に回転自在に固定されているので、外枠上端部７５が持ち上げられることで、外枠７７が容易に所定位置に起立する。起立された左右の外枠７７は、唯一の倒れ方向の倒れが突っ張り部材７３によって阻止される。回転式の外枠７７では、挿入式のような抜けが生じず、且つ回転軸７９等を使用した高強度な固定構造が実現可能となる。これにより、挿入式の外枠１５に比べ、外枠７７をより簡単な組立でより高強度に固定できる。
【００５３】
図１１はシート１９の上縁枠部材６９に係止部材８１が設けられた変形例に係る浸水防止装置１１の正面図である。
この変形例では、シート１９の上縁部６７に設けられる上縁枠部材６９の左右端部８３に、外枠１５に係止する係止部材８１が設けられる。下縁部５３が収納ボックス１３に固定されるシート１９の上縁部６７に上縁枠部材６９が固定され、上縁枠部材６９の左右端部８３が係止部材８１によって左右の外枠１５に係止されることで、シート１９が上下方向に展張支持可能となる。これにより、シート１９の上縁部６７も外枠１５に固定できて、突っ張り部材７３を装着するまでのシート１９の撓みなどを抑止し、シート１９の展張状態を仮保持するようにできて、突っ張り部材７３の組付作業性を向上でき、シート１９の水圧強度を一層向上させることができる。
【００５４】
図１２はターンバックル構造を有する変形例に係る内枠固定部材の平面図である。
この変形例に係る内枠固定部材は、ターンバックル構造を有する突っ張り部材８５として構成される。ターンバックル式の突っ張り部材８５によれば、より大きな押圧力を発生させることができる。
【００５５】
図１３（ａ）は折り畳み構造を有する変形例に係る内枠固定部材の伸長前の正面図、（ｂ）は（ａ）の伸長後の正面図である。
この変形例に係る内枠固定部材は、折り畳み構造を有する突っ張り部材８７として構成される。折り畳み式の突っ張り部材８７は、図１３（ａ）に示すように、例えば略中央部に回転軸部８９が設けられ、図１３（ｂ）に示す伸長した状態で、回転軸部８９に規制部材９１が外挿されて、折れ曲がりが規制される。この折り畳み式の突っ張り部材８７によれば、短い全長にして収納が可能となる。また、上記のターンバックル構造に比べて、より直感的に且つ素早く組み立てることができる。
【００５６】
図１４は係止爪としての設定部が設けられた変形例に係る内枠１７の要部分解斜視図である。
この変形例では、内枠１７に、内枠固定部材（例えば突っ張り部材７３）の両端の位置を決める設定部が設けられる。例えば印、刻印、マークなどを設けたり、切欠や係止爪などからなる設定部が内枠１７に設けられ、突っ張り部材７３は、両端が設定部に位置決めされて内枠１７に組み立てられる。これにより、突っ張り部材７３の取付位置が容易に把握できるようになる。また、設定部を、切欠、係止爪または受け部材９３とすれば、突っ張り部材７３の両端が支持可能となって、内枠固定部材のずれや落下が防止される。これにより、内枠固定部材の組立時の位置決めを容易にすることができる。
【００５７】
図１５は図１に示した浸水防止装置１１が連結して使用される他の使用形態の斜視図である。  
この変形例では、浸水防止装置１１が連結される。浸水防止装置１１は、例えば、一間（１．８ｍ）くらいを想定して収納ボックス１３の長手方向が寸法設定される。それよりも広い間口部分の場合は、図１５に示すように、定尺のものを複数直列配置して連結することもできる。隣り合う外枠１５同士は、ジョイントさせるとよい。これにより、間口の広い開口部２５にも対応可能となる。
【００５８】
従って、本実施形態に係る浸水防止装置１１によれば、建物や構築物の外観を損なわず、底面である地面や床面に対して施工するのみで短時間で容易に設置でき、しかも、収納ボックスに全て納まるユニット構造とされることから、既存の構築物に対しての後付け施工も容易であり、さらには従来品に比べ施工コスト、製品コストを安価にできて、浸水の被害を防ぐことが可能となる。
【符号の説明】
【００５９】
１１…浸水防止装置
１３…収納ボックス
１５…外枠
１７…内枠
１９…シート
２１…蓋
２３…上部開口
２５…開口部
２７…底面
２９…長手方向両端部
３１…左右対向面
３７…支持体
３９…外枠下端部
４７…起立固定部材（パッチン錠）
５３…下縁部
６７…上縁部
６９…上縁枠部材
７１…左右側縁部
７３…突っ張り部材（内枠固定部材）
８１…係止部材
８３…左右端部
９３…設定部（受け部材）
【図１】
0005955599.tif 000002
【図２】
0005955599.tif 000003
【図３】
0005955599.tif 000004
【図４】
0005955599.tif 000005
【図５】
0005955599.tif 000006
【図６】
0005955599.tif 000007
【図７】
0005955599.tif 000008
【図８】
0005955599.tif 000009
【図９】
0005955599.tif 000010
【図１０】
0005955599.tif 000011
【図１１】
0005955599.tif 000012
【図１２】
0005955599.tif 000013
【図１３】
0005955599.tif 000014
【図１４】
0005955599.tif 000015
【図１５】
0005955599.tif 000016